(57)【特許請求の範囲】
【請求項１】
物品を保持するパッケージであって、該パッケージは、
ライナー及び該ライナーに取り付けられる構築物であって、
該ライナーは、物品を保持する内部空間を有し、
該構築物は、該ライナーの一部において少なくとも部分的に強化する複数のパネルを備え、該複数のパネルは、トップパネル、第１のサイドパネル、第２のサイドパネル、及びボトムパネルを含む、ライナー及び構築物と、
前記トップパネル及び前記ボトムパネルのうちの少なくとも一方にある、該パッケージからの前記物品の取り出しを可能にする取り出し機能部を含むディスペンサーであって、前記取り出し機能部は、前記構築物において引き裂き線により少なくとも部分的に画定されるディスペンサーパネルを含み、該ディスペンサーパネルは、前記引き裂き線に沿って前記構築物から少なくとも部分的に分離されてディスペンサー開口を形成するものである、ディスペンサーと、
を備え、
前記第２のサイドパネルは、第１の折り曲げ線に沿って前記トップパネルに折り曲げ可能に接続されているとともに、第２の折り曲げ線に沿って前記ボトムパネルに折り曲げ可能に接続されており、前記第１のサイドパネルは、第３の折り曲げ線に沿って前記トップパネルに折り曲げ可能に接続されているとともに、第４の折り曲げ線に沿って取付パネルに折り曲げ可能に接続されており、
前記第１の折り曲げ線、前記第２の折り曲げ線、前記第３の折り曲げ線、及び前記第４の折り曲げ線は、それぞれ弧状である、パッケージ。
【請求項２】
前記ディスペンサーパネルは第１のディスペンサーパネルであり、前記引き裂き線は第１の引き裂き線であり、前記取り出し機能部は、第２の引き裂き線により少なくとも部分的に画定される、前記ライナーにおける第２のディスペンサーパネルを含む、請求項１に記載のパッケージ。
【請求項３】
前記第１のディスペンサーパネルと前記第２のディスペンサーパネルとは位置合わせされる、請求項２に記載のパッケージ。
【請求項４】
前記第１のディスペンサーパネルと前記第２のディスペンサーパネルとは対面接触している、請求項３に記載のパッケージ。
【請求項５】
前記第１の引き裂き線は、前記第２の引き裂き線から離間している、請求項２に記載のパッケージ。
【請求項６】
前記第１の引き裂き線及び前記第２の引き裂き線は弧状であり、前記第１の引き裂き線は前記第２の引き裂き線を囲む、請求項２に記載のパッケージ。
【請求項７】
前記ディスペンサーパネルはアクセスタブを含む、請求項２に記載のパッケージ。
【請求項８】
前記取付パネルは、前記ボトムパネルに対面接触して接着される、請求項１に記載のパッケージ。
【請求項９】
前記アクセスタブは、前記第１のサイドパネル及び前記第２のサイドパネルのうちの一方へと延びる、請求項７に記載のパッケージ。
【請求項１０】
前記第１のサイドパネルは、第５の折り曲げ線に沿って第２の部分に折り曲げ可能に接続されている第１の部分を有し、前記第２のサイドパネルは、第６の折り曲げ線に沿って第４の部分に折り曲げ可能に接続されている第３の部分を有する、請求項１に記載のパッケージ。
【請求項１１】
前記トップパネルは、ノッチを伴う自由縁を有し、前記アクセスタブは、前記自由縁まで延在する、請求項７に記載のパッケージ。
【請求項１２】
前記第１のディスペンサーパネルは、前記トップパネル及び前記ボトムパネルのうちの前記少なくとも一方において、折り曲げ線により少なくとも部分的に画定される、請求項２に記載のパッケージ。
【請求項１３】
前記第１の引き裂き線は、前記折り曲げ線のそれぞれの端の間に延びる、請求項１２に記載のパッケージ。
【請求項１４】
前記折り曲げ線の幅は、前記トップパネルの前記幅よりも小さく、該折り曲げ線が前記構築物の縁から離間するようになっている、請求項１２に記載のパッケージ。
【請求項１５】
ライナーと構築物との組合せであって、該組合せは、
前記ライナーに取り付けられる前記構築物であって、
該ライナーは、物品を保持する内部空間を有し、
該構築物は、該ライナーの一部を少なくとも部分的に強化する複数のパネルを備え、該複数のパネルは、トップパネル、第１のサイドパネル、第２のサイドパネル、及びボトムパネルを含む、構築物と、
前記トップパネル及び前記ボトムパネルのうちの少なくとも一方にある、該組合せからの前記物品の取り出しを可能にする取り出し機能部を含むディスペンサーであって、前記取り出し機能部は、前記構築物において引き裂き線により少なくとも部分的に画定されるディスペンサーパネルを含み、該ディスペンサーパネルは、前記引き裂き線に沿って前記構築物から少なくとも部分的に分離されてディスペンサー開口を形成するものである、ディスペンサーと、
を含み、
前記第２のサイドパネルは、第１の折り曲げ線に沿って前記トップパネルに折り曲げ可能に接続されているとともに、第２の折り曲げ線に沿って前記ボトムパネルに折り曲げ可能に接続されており、前記第１のサイドパネルは、第３の折り曲げ線に沿って前記トップパネルに折り曲げ可能に接続されているとともに、第４の折り曲げ線に沿って取付パネルに折り曲げ可能に接続されており、
前記第１の折り曲げ線、前記第２の折り曲げ線、前記第３の折り曲げ線、及び前記第４の折り曲げ線は、それぞれ弧状である、組合せ。
【請求項１６】
前記ディスペンサーパネルは第１のディスペンサーパネルであり、前記引き裂き線は第１の引き裂き線であり、前記取り出し機能部は、第２の引き裂き線により少なくとも部分的に画定される、前記ライナーにおける第２のディスペンサーパネルを含む、請求項１５に記載の組合せ。
【請求項１７】
前記第１のディスペンサーパネルと前記第２のディスペンサーパネルとは位置合わせされる、請求項１６に記載の組合せ。
【請求項１８】
前記第１のディスペンサーパネルと前記第２のディスペンサーパネルとは対面接触している、請求項１７に記載の組合せ。
【請求項１９】
前記第１の引き裂き線は、前記第２の引き裂き線から離間している、請求項１６に記載の組合せ。
【請求項２０】
前記第１の引き裂き線及び前記第２の引き裂き線は弧状であり、前記第１の引き裂き線は前記第２の引き裂き線を囲む、請求項１６に記載の組合せ。
【請求項２１】
前記ディスペンサーパネルはアクセスタブを含む、請求項１６に記載の組合せ。
【請求項２２】
前記取付パネルは、前記ボトムパネルに対面接触して接着される、請求項１５に記載の組合せ。
【請求項２３】
前記アクセスタブは、前記第１のサイドパネル及び前記第２のサイドパネルのうちの一方へと延びる、請求項２１に記載の組合せ。
【請求項２４】
前記第１のサイドパネルは、第５の折り曲げ線に沿って第２の部分に折り曲げ可能に接続されている第１の部分を有し、前記第２のサイドパネルは、第６の折り曲げ線に沿って第４の部分に折り曲げ可能に接続されている第３の部分を有する、請求項１５に記載の組合せ。
【請求項２５】
前記トップパネルは、ノッチを伴う自由縁を有し、前記アクセスタブは、前記自由縁まで延在する、請求項２１に記載の組合せ。
【請求項２６】
前記第１のディスペンサーパネルは、前記トップパネル及び前記ボトムパネルのうちの前記少なくとも一方において、折り曲げ線により少なくとも部分的に画定される、請求項１６に記載の組合せ。
【請求項２７】
前記第１の引き裂き線は、前記折り曲げ線のそれぞれの端の間に延びる、請求項２６に記載の組合せ。
【請求項２８】
前記折り曲げ線の幅は、前記トップパネルの前記幅よりも小さく、該折り曲げ線が前記構築物の縁から離間するようになっている、請求項２６に記載の組合せ。
【請求項２９】
パッケージを形成する方法であって、
トップパネル、第１のサイドパネル、第２のサイドパネル、及びボトムパネルを含む複数のパネルを備える構築物と、前記トップパネル及び前記ボトムパネルのうちの少なくとも一方にある、前記パッケージからの物品の取り出しを可能にする取り出し機能部を含むディスペンサーであって、前記取り出し機能部は、前記構築物において引き裂き線により少なくとも部分的に画定されるディスペンサーパネルを含む、ディスペンサーとを得ることと、
前記構築物をライナーに取り付けることと、
前記複数のパネルにより少なくとも部分的に画定される前記パッケージの内部空間を形成することと、
前記ディスペンサーパネルを前記引き裂き線に沿って引き裂いて前記構築物から少なくとも部分的に分離することにより、ディスペンサー開口を形成することと、
を含み、
前記第２のサイドパネルは、第１の折り曲げ線に沿って前記トップパネルに折り曲げ可能に接続されているとともに、第２の折り曲げ線に沿って前記ボトムパネルに折り曲げ可能に接続されており、前記第１のサイドパネルは、第３の折り曲げ線に沿って前記トップパネルに折り曲げ可能に接続されているとともに、第４の折り曲げ線に沿って取付パネルに折り曲げ可能に接続されており、
前記第１の折り曲げ線、前記第２の折り曲げ線、前記第３の折り曲げ線、及び前記第４の折り曲げ線は、それぞれ弧状である、方法。
【請求項３０】
前記ディスペンサーパネルは第１のディスペンサーパネルであり、前記引き裂き線は第１の引き裂き線であり、前記取り出し機能部は、第２の引き裂き線により少なくとも部分的に画定される、前記ライナーにおける第２のディスペンサーパネルを含む、請求項２９に記載の方法。
【請求項３１】
前記第１のディスペンサーパネルと前記第２のディスペンサーパネルとを位置合わせすることを更に含む、請求項３０に記載の方法。
【請求項３２】
前記第１のディスペンサーパネルと前記第２のディスペンサーパネルとは対面接触している、請求項３１に記載の方法。
【請求項３３】
前記第１の引き裂き線は、前記第２の引き裂き線から離間している、請求項３０に記載の方法。
【請求項３４】
前記第１の引き裂き線及び前記第２の引き裂き線は弧状であり、前記第１の引き裂き線は前記第２の引き裂き線を囲む、請求項３０に記載の方法。
【請求項３５】
前記取付パネルは、前記ボトムパネルに対面接触して接着される、請求項２９に記載の方法。
【請求項３６】
前記第１のサイドパネルは、第５の折り曲げ線に沿って第２の部分に折り曲げ可能に接続されている第１の部分を有し、前記第２のサイドパネルは、第６の折り曲げ線に沿って第４の部分に折り曲げ可能に接続されている第３の部分を有する、請求項２９に記載の方法。
【請求項３７】
前記第１のディスペンサーパネルは、前記トップパネル及び前記ボトムパネルのうちの前記少なくとも一方において、折り曲げ線により少なくとも部分的に画定される、請求項３０に記載の方法。
【発明の詳細な説明】
【技術分野】
【０００１】
［関連出願の相互参照］
本願は、２０１４年１月３１日に出願された米国仮特許出願第６１／９６５４９２号の利益を主張する。
【０００２】
［参照による援用］
２０１４年１月３１日に出願された米国仮特許出願第６１／９６５４９２号の開示は、その全体が本明細書に提示されているかのように、全ての目的で引用することにより本明細書の一部をなす。
【０００３】
本開示は、包括的には、製品を保持するパッケージに関する。本開示は、より詳細には、袋を支持及び開封する開封機能部を有する強化用スリーブを備えるパッケージに関する。
【発明の概要】
【０００４】
１つの態様において、本開示は、包括的には、物品を保持するパッケージに関する。本パッケージは、ライナー及びこのライナーに取り付けられる構築物（construct）を備える。ライナーは、物品を保持する内部空間を有する。構築物は、ライナーの一部において少なくとも部分的に強化する複数のパネルを備える。複数のパネルは、トップパネル、第１のサイドパネル、第２のサイドパネル、及びボトムパネルを含む。構築物は、トップパネル及びボトムパネルのうちの少なくとも一方にある、本パッケージからの物品の取り出しを可能にする取り出し機能部（dispensing features）を含むディスペンサーを更に備える。取り出し機能部は、構築物において引き裂き線により少なくとも部分的に画定されるディスペンサーパネルを含み、ディスペンサーパネルは、引き裂き線に沿って構築物から少なくとも部分的に分離されてディスペンサー開口を形成するものである。
【０００５】
別の態様において、本開示は、包括的には、ライナーと構築物との組合せに関する。本組合せは、ライナーに取り付けられる構築物を含む。ライナーは、物品を保持する内部空間を有する。構築物は、ライナーの一部を少なくとも部分的に強化する複数のパネルを備える。複数のパネルは、トップパネル、第１のサイドパネル、第２のサイドパネル、及びボトムパネルを含む。構築物は、トップパネル及びボトムパネルのうちの少なくとも一方にある、本組合せからの物品の取り出しを可能にする取り出し機能部を含むディスペンサーを更に備える。取り出し機能部は、構築物において引き裂き線により少なくとも部分的に画定されるディスペンサーパネルを含み、ディスペンサーパネルは、引き裂き線に沿って構築物から少なくとも部分的に分離されてディスペンサー開口を形成するものである。
【０００６】
別の態様において、本開示は、包括的には、パッケージを形成する方法に関する。本方法は、複数のパネルを備える構築物を得ることを含む。複数のパネルは、トップパネル、第１のサイドパネル、第２のサイドパネル、及びボトムパネルを含む。構築物は、トップパネル及びボトムパネルのうちの少なくとも一方にある、パッケージからの物品の取り出しを可能にする取り出し機能部を含むディスペンサーを更に備える。取り出し機能部は、構築物において引き裂き線により少なくとも部分的に画定されるディスペンサーパネルを含む。本方法は、構築物をライナーに取り付けることと、複数のパネルにより少なくとも部分的に画定される内部空間を形成することと、ディスペンサーパネルを引き裂き線に沿って引き裂いて構築物から少なくとも部分的に分離することにより、ディスペンサー開口を形成することとを更に含む。
【０００７】
本開示の更なる態様、特徴、及び利点は、以下の記載及び添付図面から明らかとなる。
【０００８】
当業者は、添付図面を参照して実施形態の以下の詳細な説明を読むことによって、上記の利点、並びに種々の更なる実施形態の他の利点及び利益を理解するであろう。個々に、また様々な組合せで与えられる上述の態様が本開示の範囲内にある。
【０００９】
本発明の種々の特徴、利点及び態様は、添付図面と併せて本発明の以下の説明を検討することにより記載することができる、すなわち明らかにすることができる。さらに、本開示の更なる理解をもたらすように含まれている添付図面は、本明細書に組み込まれるとともに本明細書の一部をなし、本開示の種々の態様、利点、及び利益を示し、また、以下の説明とともに本発明及び本開示の原理を説明する役割を果たすことが理解されるであろう。加えて、当業者は、慣行に従って、以下で論じられる図面の種々の特徴部は必ずしも一定の縮尺で描かれていないこと、及び、図面の種々の特徴部及び要素の寸法は、本開示の実施形態をより明確に示すために拡大又は縮小されている場合があることを理解するであろう。
【図面の簡単な説明】
【００１０】
【図１】本開示の第１の実施形態に係るカートンを形成するブランクの外面図である。
【図１Ａ】図１のブランクの内面図である。
【図２】非起立形態にある、本開示の１つの実施形態に係る図１のブランクから形成されるカートンの斜視図である。
【図３】図１のブランクから形成される部分的に閉鎖したカートンの斜視図である。
【図３Ａ】図１のブランクから形成されるカートンの斜視図である。
【図４】開放形態にある、図３Ａのカートンの斜視図である。
【図５】本開示の別の実施形態に係るカートンを形成するブランクの外面図である。
【図５Ａ】本開示の１つの実施形態に係るライナーの外面図である。
【図６】非起立形態にある、本開示の１つの実施形態に係る図５のブランクから形成されるカートンの斜視図である。
【図７】図５のブランクから形成されるスリーブの斜視図である。
【図８】図５のブランクから形成されるカートンの斜視図である。
【図９】部分的に開放形態にある、図８のカートンの斜視図である。
【図１０】本開示の別の実施形態に係るカートンを形成するブランクの外面図である。
【図１１】図１０のブランクから形成されるスリーブの斜視図である。
【図１２】部分的に開放形態にある、図１１のカートンの斜視図である。
【発明を実施するための形態】
【００１１】
対応する部分は、図面を通して対応する参照符号によって示されている。
【００１２】
本開示は、包括的には、製品を保持するカートン及びパッケージに関する。製品とは、すぐにアクセスして使用できるように（for quick access and use）パッケージ又は袋内に保持するのに適した、任意の好適な消費者製品等である。そのような製品としては、ポップコーン、キャンディ、及び、乳児、幼児、児童、若しくは成人向けのスナック等の食品、又は任意の他の好適な食品を挙げることができる。また、おしぼり、拭取り布（wipes）等の非食品、又は任意の他の好適な製品を、パッケージ又は袋内に保持することができる。本開示に係るパッケージは、多数の様々な形状の物品又は容器を収容することができ、また電子レンジ用途に用いてもよい。本明細書において、「下側」、「ボトム」、「上側」、「トップ」、「サイド」、「フロント」、及び「バック」という用語は、完全に起立したカートンに関して決まる向きを示す。そのような用語に本開示の範囲を限定する意図はない。
【００１３】
図１は、袋Ｂ又はライナー１９を保持する、すなわち袋Ｂ又はライナー１９に取り付けられてパッケージ１７（図３）を強化するスリーブ１５（すなわち構築物）を形成する、本開示の一実施形態に係るブランク１３の外面１１の平面図である。ブランク１３は、ブランクの幅方向に概ね延びる横軸Ｌ１と、ブランクの長さ方向に概ね延びる縦軸Ｌ２とを有する。図示の実施形態では、ブランク１３は、それぞれ弧状の折り曲げ線３３及び３５に沿って第１のガセットサイドパネル２５及び第２のガセットサイドパネル２７に折り曲げ可能に接続されているトップパネル２１を備える。第１のガセットサイドパネル２５は、横折り曲げ線２６に沿って互いに折り曲げ可能に接続されている２つの個々のパネル部分（すなわち第１の部分及び第２の部分）２５Ａ、２５Ｂを有する。第２のガセットサイドパネル２７は、横折り曲げ線２８に沿って互いに折り曲げ可能に接続されている２つの個々のパネル部分（すなわち第３の部分及び第４の部分）２７Ａ、２７Ｂを有する。
【００１４】
１つの実施形態において、ボトムパネル２３が、第３の弧状の折り曲げ線３７において第２のガセットサイドパネル２７に折り曲げ可能に接続されている。図１に示すように、取付フラップ３１が、第４の弧状の折り曲げ線３９において第１のガセットサイドパネル２５に折り曲げ可能に接続されている。１つの実施形態において、折り曲げ線３３、３９は、横折り曲げ線２６から離間するとともに横折り曲げ線２６に対して凹状になっている。同様に、折り曲げ線３５、３７は、横折り曲げ線２８から離間するとともに横折り曲げ線２８に対して凹状になっている。代替的な実施形態において、ブランク１３は、別様な形状とすることができ、代替的なパネル、フラップ、折り曲げ線、及び／又はパネル部分構成を有することができる。さらに、他の実施形態によれば、折り曲げ線３３、３５、３７、及び３９は、本開示から逸脱することなく、別様な形状、構成、又は形態とすることができ、それぞれのトップパネル及び／又はボトムパネルに対して凸状とすることができる。
【００１５】
図１〜図４に示す１つの実施形態によれば、強化パッケージ１７は、ブランク１３のトップパネル２１に延在する外側取り出し機能部５３と、袋Ｂ又はライナー１９に延在する内側取り出し機能部５５とを含むディスペンサー５１を更に備える。強化パッケージ１７は、本開示から逸脱することなく種々の取り出し機能部を有することができる。ディスペンサー５１の外側取り出し機能部５３は、横折り曲げ線５４においてトップパネル２１に折り曲げ可能に接続されているとともに、少なくともトップパネル２１に延びる引き裂き線６３により画定されるディスペンサーパネル６１を含むことができる。１つの実施形態において、本開示から逸脱することなく、横折り曲げ線５４を省くことができ、またディスペンサーパネル６１を完全に除去することができる。ディスペンサーパネル６１は、引き裂き線６３の引き裂きを開始する際に把持するアクセスタブ６５を含むことができる。ディスペンサーパネル６１及びアクセスタブ６５は、本開示から逸脱することなく、代替的な形状、構成、及び／又は配置とすることができる。
【００１６】
図１を参照すると、ディスペンサー５１の内側取り出し機能部５５は、袋Ｂ又はライナー１９に延びるとともに、外側取り出し機能部５３と位置合わせすることができる内側ディスペンサーパネル６９（図５Ａを参照）を画定する切れ目線６７を含むことができる。切れ目線６７は、切れ目線６７の略全長にわたってライナーの全厚みを貫通する、ライナー１９にある実質的に連続する切れ目とすることができる。切れ目線６７は、切断プロセスが不完全に行われる結果として又は設計によって内側ディスペンサーパネル６９をライナー１９の残りの部分に脆弱に接続する、何らかのポリマーブリッジ（polymer bridging）、ニック、又は他の構造を有することができる。ソフトウェア駆動レーザーカットシステム若しくは他のレーザーシステム、ルールダイカットツール若しくは他の機械的な切断システム、ヒートスタンプ、又は任意の他の好適な方法によって、切れ目線６７を袋Ｂ又はライナー１９に形成することができる。内側取り出し機能部５５は、本開示から逸脱することなく代替的な方法で（alternatively）袋Ｂ又はライナー１９に形成することができる。
【００１７】
図１Ａに示す１つの実施形態では、ブランク１３は、トップパネル２１及びボトムパネル２３に、接着剤を受けるとともに袋Ｂの外面に固定して取り付けられる接着剤領域６０を有する。さらに、ブランク１３は、取付フラップ３１に、接着剤を受けるとともにバックパネル２３の内面に固定して取り付けられる接着剤領域６２を有することができる。接着剤領域６０、６２は、本開示の範囲から逸脱することなく、別様の構成、形状とすることができ、変更又は省略することができる。
【００１８】
図１に示すように、強化パッケージ１７の袋Ｂを形成するブランクすなわちライナー材料１９の外面７７の平面図が示されている。ブランクすなわちライナー材料１９は、第１の折り曲げ線８４に沿って第１のサイドパネル８３に折り曲げ可能に接続されているとともに、第２の折り曲げ線８６に沿って第２のサイドパネル８５に折り曲げ可能に接続されているトップパネル７９を備えてもよい。第１のサイドパネル８３は、横折り曲げ線８７に沿って互いに折り曲げ可能に接続されている２つの個々のパネル部分８３Ａ、８３Ｂを有する。同様に、第２のサイドパネル８５は、横折り曲げ線８８に沿って互いに折り曲げ可能に接続されている２つの個々のパネル部分８５Ａ、８５Ｂを有する。ボトムパネル８１が、第３の折り曲げ線８９において第２のサイドパネル８５に折り曲げ可能に接続されている。取付パネル９１が、第４の折り曲げ線９２において第１のサイドパネル８３に折り曲げ可能に接続されている。１つの実施形態において、内側取り出し機能部５５は、トップパネル７９において切れ目線６７により画定される。
【００１９】
１つの実施形態において、折り曲げ線８４、９２は横折り曲げ線８７から離間する。同様に、折り曲げ線８６、８９は横折り曲げ線８８から離間する。代替的な実施形態において、ライナー１９は、本開示から逸脱することなく、別様な形状とすることができ、また代替的なパネル、フラップ、折り曲げ線、及び／又はパネル部分構成を有することができ、例えば、ボトムパネル８１を第１のサイドパネル８３に折り曲げ可能に接続してもよく、取付パネル９１を第２のサイドパネル８５に折り曲げ可能に接続してもよい。さらに、他の実施形態によれば、折り曲げ線８４、８６、８９、及び９２は、本開示から逸脱することなく、別様な形状、構成、又は形態とすることができ、分割された折り曲げ線又は弧状の折り曲げ線とすることができる。
【００２０】
１つの実施形態において、ライナー１９の少なくとも一部には、調理、加熱、焦げ目付け（browning）、及び／又は遮蔽に使用される要素（図示せず）（例えば、限定はしないがサセプタ等のマイクロ波エネルギー相互作用要素）が取り付けられていてもよい。サセプタは可撓性サセプタ材料としてもよい。さらに、サセプタは、本開示の趣旨から逸脱することなく、中実とするか又はパターンにすることができる。
【００２１】
ブランク１３を強化パッケージ１７に形成する１つの例示的な方法では、まず、ブランク１３のトップパネル２１を袋Ｂ又はライナー１９の外面上に配置する。図１に示すように、外側取り出し機能部５３が内側取り出し機能部５５を囲むように外側取り出し機能部５３を内側取り出し機能部５５と位置合わせする。次に、トップパネル２１及びディスペンサーパネル６１を、接着剤領域６０において袋Ｂ又はライナー１９に接着する。ボトムパネル８１が取付パネル９１と重なり合う及び／又は整合されるように、ボトムパネル８１及びサイドパネル８５の部分８５Ａを折り曲げ線８８に沿って折り曲げることができ、取付パネル９１及びサイドパネル８３の部分８３Ａを折り曲げ線８７に沿って折り曲げることができる。袋Ｂ（図３）の端部７１、７２のうちの一方（One）をその縁にわたってシールして、一方の側部が開放した袋を形成することができる。本開示から逸脱することなく代替的に、双方の端部７１、７２を開放したままとしてもよい。ブランク１３は、（例えば、ライナーと同時に又はライナー１９を折り曲げた後に）折り曲げ線２６、２８を中心に折り曲げて、強化用スリーブ構成体を形成することができる。例えば、取付フラップ３１は、ボトムパネル２３が取付フラップ３１と少なくとも部分的に重なり合うとともに、図１Ａに示す接着剤領域６２において取付フラップ３１に取付けられるように、ボトムパネル２３と重なり合う及び／又は整合することができる。このシーケンス中、ブランク１３又は強化用スリーブは、接着剤領域６０を介して袋Ｂに取り付けられる。
【００２２】
ボトムパネル２３及び取付フラップ３１を折り曲げると、図２に示すように、強化用パッケージ１７が第１の位置すなわち非起立位置（例えば略平坦位置又は半平坦位置）になる。この第１の位置において、個々のパネル部分２５Ａ、２５Ｂ、２７Ａ、及び２７Ｂは、全体的に又は少なくとも部分的に対面整合状態としてもよい。図示の第１の位置すなわち非起立位置では、袋Ｂの内部空間４２の容積は減少する及び／又は最小になり、強化パッケージが非起立状態又は半平坦状態であるようになっている。非起立状態は、複数のパッケージを例えば出荷コンテナーに簡単に積載することと、その後の出荷先施設における整理とを容易にすることができる。一方で、図２に示すように、非起立状態は、内部容積に製品を少なくとも部分的に詰めるのを依然として容易にすることができる。その後、内部容積４２は、任意の実施可能な方法でシールすることができる。
【００２３】
個々のパネル部分２５Ａ、２５Ｂ、２７Ａ、及び２７Ｂは、（内部容積がシールされているか又はシールされていない状態で）第１の位置すなわち非起立位置にある強化パッケージ１７を受けると、図３及び図４に示すパッケージの第２の位置すなわち起立位置においてパッケージの第１の側部２９及び第２の側部３０を形成するように屈曲又は配置することができる。第２の位置すなわち起立位置では、内部空間４２の容積は増大する及び／又は最大になる。いくつかの実施形態によれば、パッケージが完全には起立しない中間状態を含むパッケージ１７の他の介在状態も適用可能である。さらに、例えば、加熱されると膨張するポップコーン等の膨張性食品が袋Ｂに詰められている場合、調理プロセス中にサイドパネル２５、２７を少なくとも部分的に形成するように、自動的に起立する強化パッケージ１７も適用可能である。
【００２４】
図４に示すように、ディスペンサーパネル６１のアクセスタブ６５を把持して、引き裂き線６３及び６７に沿ってディスペンサーパネル６１及び内側ディスペンサーパネル６９を引き裂くことにより、ディスペンサー５１を開き、ディスペンサー開口１３１を形成することができる。消費者は、ディスペンサー開口１３１から製品（図示せず）を取り出すことができる。代替的には、ディスペンサー５１は、１つ又は複数のディスペンサーを含んでもよく、ディスペンサー開口又はディスペンサーは、他の形状及びサイズの１つ又は複数の開口を有するように別様な形態とすることができる。さらに、ディスペンサー５１は、本開示から逸脱することなく代替的に、１つ又は複数のディスペンサーパネルを備え、使用者がサイドパネルにあるディスペンサー開口（複数の場合もある）を通して容器を取り出すことを可能にすることができる。また、ディスペンサー５１は、本開示から逸脱することなく、ボトムパネル２３の少なくとも一部を構成する１つ又は複数のディスペンサーパネルを含むことができる。
【００２５】
図５〜図９は、前述の実施形態と同様である本開示の代替的な一実施形態を示しており、類似又は同様の特徴は、類似又は同様の参照符号が付されている。図５は、強化パッケージ１１７の袋１９を形成するブランク１１３及びライナー１１９の外面１１１の平面図である。トップパネル１２１は、アクセスタブ６５と位置合わせされる、アクセスタブ６５にアクセスするためのアクセス用カットアウト１１８を有してもよい。ライナー１１９をブランク１１３に取り付けてからパッケージに形成してもよいし、代替的には、ブランク１１３を取り付ける前に予めライナー１１９を袋１９に形成してもよい。袋１９は、シール端部１１４、開放端部１１６、又はそれらの任意の組合せを有してもよい。
【００２６】
図５Ａに示すように、強化パッケージ１１７の袋１９を形成するライナー材料１１９の外面１７７の平面図が示されている。ライナー材料１１９は、第１の折り曲げ線１８４に沿って第１のパネル１８３に折り曲げ可能に接続されているとともに第２の折り曲げ線８６に沿って第２のパネル１８５に折り曲げ可能に接続されているトップパネル１７９を備えてもよい。１つの実施形態において、内側取り出し機能部５５は、ライナー１１９のトップパネル１７９において切れ目線６７によって画定される。
【００２７】
ブランク１１３を強化パッケージ１１７に形成する別の例示的な方法では、ブランク１１３を、取付フラップ３１がボトムパネル２３と重なり合って及び／又は整合してボトムパネル２３に接着されるように折り曲げ線２６、２８を中心に折り曲げて、強化用スリーブ構成体１５を形成することができる。袋１９は、それぞれ折り曲げ線１８４、８６に沿って第１のパネル１８３及び第２のパネル１８５を対面接触するように折り曲げることにより形成することができる。代替的には、袋１９を予め形成してからスリーブに挿入してもよく、トップパネル１２１の外側取り出し機能部５３が袋１９の内側取り出し機能部５５を囲むように、外側取り出し機能部５３を内側取り出し機能部５５と位置合わせしてもよい。強化用スリーブ１５は、接着剤（図示せず）を用いて袋１９に取り付けてもよい。
【００２８】
ボトムパネル２３及び取付フラップ３１を折り曲げると、図６に示すように、強化用パッケージ１１７が第１の位置すなわち非起立位置（例えば略平坦位置又は半平坦位置）になる。この第１の位置において、個々のパネル部分２５Ａ、２５Ｂ、２７Ａ、及び２７Ｂは、全体的に又は少なくとも部分的に対面整合状態としてもよい。図示の第１の位置すなわち非起立位置では、袋Ｂの内部空間４２の容積は減少する及び／又は最小になる。一方で、図６に示すように、非起立状態は、内部容積に製品を少なくとも部分的に詰めるのを依然として容易にすることができる。その後、内部容積４２は、任意の実施可能な方法でシールすることができる。
【００２９】
個々のパネル部分２５Ａ、２５Ｂ、２７Ａ、及び２７Ｂは、（内部容積がシールされているか又はシールされていない状態で）第１の位置すなわち非起立位置にある強化パッケージ１１７を受けると、図８に示すパッケージの第２の位置すなわち起立位置においてパッケージの第１の側部２９及び第２の側部３０を形成するように屈曲又は配置することができる。第２の位置すなわち起立位置では、内部空間４２の容積は増大する及び／又は最大になる。
【００３０】
図９に示すように、カットアウト１１８を通してアクセスタブ６５を把持して、引き裂き線６３及び６７に沿ってディスペンサーパネル１６１及び内側ディスペンサーパネル６９を引き裂くことにより、ディスペンサー５１を開き、ディスペンサー開口１３１を形成することができる。消費者は、ディスペンサー開口１３１から製品（図示せず）を取り出すことができる。代替的には、ディスペンサー５１は、１つ又は複数のディスペンサーを含んでもよく、ディスペンサー開口又はディスペンサーは、他の形状及びサイズの１つ又は複数の開口を有するように別様な形態とすることができる。さらに、ディスペンサー５１は、本開示から逸脱することなく代替的に、１つ又は複数のディスペンサーパネルを備え、使用者がサイドパネルにあるディスペンサー開口（複数の場合もある）を通して容器を取り出すことを可能にすることができる。また、ディスペンサー５１は、本開示から逸脱することなく、ボトムパネル２３の少なくとも一部を構成する１つ又は複数のディスペンサーパネルを含むことができる。
【００３１】
図１０は、強化パッケージ２１７（図１１及び図１２）の袋を形成するライナー材料２１９の一部を保持するスリーブ２１５（図１１）を形成する、本開示の一実施形態に係るブランク２１３の外面２１１の平面図である。図示の実施形態では、ブランク２１３は、第１の折り曲げ線２３３に沿って第１のサイドパネル２２５に折り曲げ可能に接続されているトップパネル２２１を備える。ボトムパネル２３が、第２の折り曲げ線２３７において第１のサイドパネル２２５に折り曲げ可能に接続されている。第２のサイドパネル２２７が、第３の折り曲げ線２３５に沿ってボトムパネル２３に折り曲げ可能に接続されている。第２のサイドパネル２２７は、自由縁２４１に沿って弧状のノッチ２３０を有してもよい。図１０に示すように、取付フラップ２３１は、第４の折り曲げ線２３９に沿ってトップパネル２２１に折り曲げ可能に接続されている。代替的な実施形態において、ブランク２１３は、別様な形状とすることができ、代替的なパネル、フラップ、折り曲げ線、及び／又はパネル部分構成を有することができる。さらに、他の実施形態によれば、折り曲げ線２３３、２３５、２３７、及び２３９は、本開示から逸脱することなく別様な形状、構成、又は形態とすることができる。
【００３２】
図１０〜図１２に示すように、強化パッケージ２１７は、ブランク２１３に延在する外側取り出し機能部２５３ａ、２５３ｂと、袋２４又はライナー２１９に延在する内側取り出し機能部２５５ａ、２５５ｂとを含むディスペンサー２５１を更に備える。強化パッケージ２１７は、本開示から逸脱することなく種々の取り出し機能部を有することができる。外側取り出し機能部２５３ａ、２５３ｂは、横折り曲げ線２３３において第１のサイドパネル２２５に折り曲げ可能に接続されているディスペンサーパネル２６１を画定する引き裂き線である。
【００３３】
１つの実施形態において、ディスペンサーパネル２６１は、第１の部分２７２及び第２の部分２７３を有する。第１の部分２７２は、取付フラップ２３１にあり、ブランク２１３の縁２６５と、それぞれ引き裂き線２５３ａ、２５３ｂの斜め部分２７５ａ、２７５ｂと、横折り曲げ線２３９の一部とによって画定される。第２の部分２７３は、トップパネル２２１にあり、トップパネルにある引き裂き線２５３ａ、２５３ｂの斜め部分２７５ａ、２７５ｂと、縦引き裂き線２９１ａ、２９１ｂと、折り曲げ線２３９、２３３の部分とによって少なくとも部分的に画定される。第１の部分２７２及び第２の部分２７３のうちの一方又は複数を含むディスペンサーパネル２６１は、本開示から逸脱することなく別様な形状、構成、形態とすることができる。
【００３４】
図１０〜図１２に示す１つの例示的な実施形態では、外側取り出し機能部２５３ａ、２５３ｂは、図１０に示すそれぞれの引き裂き線の少なくとも一部に沿って内側取り出し機能部２５５ａ、２５５ｂに対して平行であるとともに離間する。他の実施形態において、外側取り出し機能部２５３ａ、２５３ｂと内側取り出し機能部２５５ａ、２５５ｂとは、略位置合わせされるか又は同一線状にあることができる。強化パッケージ２１７は、最初にライナー２１９をブランク２１３に接着し、第２のサイドパネル２２７を折り曲げ線２３５に沿って折り曲げるとともに、取付フラップ２３１が第２のサイドパネル２２７と重なり合うように取付フラップ２３１を折り曲げ線２３９に沿って折り曲げることにより、ブランク２１３から組み立てることができる。取付フラップ２３１は、取付フラップ２３１の内面又は第２のサイドパネル２２７の外面のいずれかに塗布される接着剤によって対面接触させて固定することができる。図１１に示すように、サイドパネル２２５、２２７をトップパネル２２１及びボトムパネル２３に相対して配置し、内部空間を少なくとも部分的に形成する、端部が開放した略筒状のスリーブ２１５を形成することができる。筒状のスリーブに製品（図示せず）を詰めてから強化パッケージ２１７の端部７１、７２を閉鎖することもできるし、端部のうちの一方を閉鎖してから製品を装填することもできる。製品が装填されると、ライナー２１９の端部７１、７２を閉鎖して、密閉された強化パッケージ２１７を形成することができる。
【００３５】
図１２に示すように、ディスペンサーフラップの第１の部分２７２を把持して、ライナー２１９にある引き裂き線２５３ａ、２５３ｂ及び引き裂き線２５５ａ、２５５ｂのそれぞれの部分２７５ａ、２７５ｂ、２９１ａ、及び２９１ｂに沿ってディスペンサーパネル２６１を引き裂くことにより、ディスペンサー２５１を開き、ディスペンサー開口１３１を形成することができる。消費者は、ディスペンサー開口１３１から製品を取り出すことができる。代替的には、ディスペンサー２５１は、１つ又は複数のディスペンサーを含んでもよく、ディスペンサー開口又はディスペンサーは、他の形状及びサイズの１つ又は複数の開口を有するように別様な形態とすることができる。さらに、ディスペンサー２５１は、本開示から逸脱することなく代替的に、第１のサイドパネル２２５において１つ又は複数のディスペンサーパネルを備え、使用者が他のサイドパネルにあるディスペンサー開口（複数の場合もある）を通して容器を取り出すことを可能にすることができる。また、ディスペンサー２５１は、本開示から逸脱することなく、ボトムパネル２３の少なくとも一部を構成する１つ又は複数のディスペンサーパネルを含むことができる。
【００３６】
１つの実施形態において、ライナー１９、１１９、及び２１９は、略浸透性の材料で形成してもよい。ライナー材料は、本開示から逸脱することなく、紙、クラフト紙、積層紙、又は任意の他の好適な紙材料を含むことができる。代替的には、ライナー材料は、不浸透性の材料又は材料層を含むことができ、また比較的柔軟で比較的流体不浸透性の任意の好適な材料を含むことができる。代替的には、ライナー材料は、本開示から逸脱することなく、ポリエチレン、ポリプロピレン、ポリエチレンテレフタレート、ポリスチレン、ポリ塩化ビニル等のプラスチック、又は任意の他の好適な材料を含むことができる。
【００３７】
図示の実施形態では、ブランク１３、１１３、及び２１３は、本開示から逸脱することなく、板紙、クレーコートされた板紙、同質漂白板（ＳＢＢ：solid bleached board）板紙、同質漂白硫酸塩（ＳＢＳ：solid bleached sulphate）板紙、クラフトライナー（正：liner）板紙、又は任意の他の好適な材料等の比較的硬質の任意の材料を含むことができる。
【００３８】
概して、本明細書に記載したように、袋は袋素材によって形成することができるが、種々のプラスチック材料又は他の袋材料を用いることもでき、所望の材料でライニング又はコーティングすることもできる。本明細書に記載の強化用カートンは、クレーコーティング天然クラフト（「ＣＣＮＫ」）等のより硬質の材料で作製することができる。本明細書に記載のパッケージの構成部材を形成するのに、種々の厚紙、普通紙、プラスチック、若しくは他の合成材料又は天然材料等の他の材料を用いることもできる。
【００３９】
本開示によるブランクは、例えば、コーティングされた板紙及び同様の材料から形成することができる。例えば、ブランクの内面及び／又は外面をクレーコートでコーティングすることができる。次に、クレーコート上に製品、広告、価格コード、及び他の情報又は画像を印刷してもよい。次に、ブランクに印刷されているあらゆる情報を保護するように、ブランクをワニスでコーティングすることができる。ブランクの片面又は両面を、例えば防湿層でコーティングすることもできる。上述の実施形態に応じて、ブランクは、通常の紙よりも重く硬質であるような厚さの板紙で作成してもよい。ブランクは、ボール紙、硬化紙等の他の材料、又はカートンが少なくとも概して上述したように機能することができるようにするのに適した特性を有する任意の他の材料で作成することもできる。ブランクは、選択されたパネル又はパネルセクションに１つ又は複数のシート状材料を積層又はコーティングすることもできる。
【００４０】
本開示の上述の実施形態によれば、折り曲げ線は、それに沿った折り曲げを容易にする、必ずしも直線状ではないが実質的に線状の任意の弱化形態とすることができる。本開示の範囲を狭めるためではないが、より詳細には、折り曲げ線は、所望の弱化線に沿って材料に圧潰部分を作る鈍いスコアリングナイフ等で形成される線等のスコア線、所望の弱化線に沿って材料に部分的に入れ込んだ切れ目、及び／又は所望の弱化線に沿って材料を部分的に貫通する一連の切れ目及び／又は材料を完全に貫通する一連の切れ目、並びにこれらの機能部の種々の組合せを含む。折り曲げ線を形成するのに切れ目付けが用いられる状況では、通常、切れ目付けは、分別ある使用者が折り曲げ線を誤って引き裂き線又は他の破断線とみなす可能性があるほど過度には深くない。
【００４１】
一例として、引き裂き線は、所望の弱化線に沿って材料に部分的に入れ込んだスリット、及び／又は所望の弱化線に沿って材料に部分的に入れ込むか、及び／又は完全に貫通する一連の離間したスリット、又はこれらの機能部の種々の組合せを含むことができる。より具体的な例としては、１つのタイプの引き裂き線は、引き裂き線を挟んで材料を通常は一時的に連結するようニック（例えば、ブリッジにやや似た材料の小片）が間に画成されるように隣接するスリットを僅かに離間させた、材料を完全に貫通する一連の離間したスリットの形態である。ニックは、引き裂き時に引き裂き線に沿って破断される。ニックは通常、引き裂き線において比較的僅かな割合を占めるものであり、代替的に、引き裂き線が連続した切れ目線であるように、ニックを引き裂き線から省くことができるか、又は引き裂き線上で破っておくことができる。すなわち、引き裂き線のそれぞれを連続したスリット等で置き換えることは、本開示の範囲内にある。例えば、本開示から逸脱することなく、切れ目線は、連続したスリットとすることができるか、又はスリットよりも幅広とすることができる。
【００４２】
上記実施形態は、カートンの実施形態を組み立てる間に糊によってともに接着される１つ又は複数のパネルを有するものとして説明することができる。「糊」という用語は、カートンパネルを適所に固定するのに一般的に用いられる全ての態様の接着剤を包含することが意図される。
【００４３】
本開示の前述の説明は、本開示の種々の実施形態を例示及び説明する。本開示の範囲から逸脱することなく、種々の変更を上記構成内でなし得るので、上記説明に含まれるか又は添付図面に示されている全ての事項が、限定的な意味ではなく例示として解釈されることが意図される。さらに、本開示の範囲は、特許請求の範囲の範囲内にある上述の実施形態の種々の変更形態、組合せ、変形形態等をカバーする。加えて、本開示は、本開示の選択された実施形態のみを図示及び説明しているが、本開示は、種々の他の組合せ、変更形態、及び環境で用いることが可能であり、本明細書で述べられているような発明概念の範囲内の変形若しくは変更、上記教示と同等の変形若しくは変更、及び／又は関連技術分野の技術若しくは知識内にある変形若しくは変更を行うことが可能である。さらに、本開示の範囲から逸脱することなく、各実施形態のいくつかの機能部及び特徴を、選択的に入れ替えて、本開示の他の説明された実施形態及び説明されていない実施形態に適用することができる。
【図１】
0006521987.tif 000002
【図１Ａ】
0006521987.tif 000003
【図２】
0006521987.tif 000004
【図３】
0006521987.tif 000005
【図３Ａ】
0006521987.tif 000006
【図４】
0006521987.tif 000007
【図５】
0006521987.tif 000008
【図５Ａ】
0006521987.tif 000009
【図６】
0006521987.tif 000010
【図７】
0006521987.tif 000011
【図８】
0006521987.tif 000012
【図９】
0006521987.tif 000013
【図１０】
0006521987.tif 000014
【図１１】
0006521987.tif 000015
【図１２】
0006521987.tif 000016